(57)【要約】  可変に構成されフレキシブルに使用可能で拡張可能なインフラ設備を提供するために、インフラ設備はモジュール式に形成されており、少なくとも１台のベースユニットと１台以上のインフラユニットを含むことが提案される。【選択図】図６
2017526076.tif 000002
【特許請求の範囲】
【請求項１】
少なくとも１台のベースユニット（１０２）と、
１台以上のインフラユニット（１０４）と、を含むモジュール式インフラ設備（１００）。
【請求項２】
前記１台以上のインフラユニット（１０４）は、通信ユニット（１２６）、情報ユニット（１２２）、保管ユニット（１７０）、表示ユニット（１２４）及び／又は提供装置（１３２）、特に自動販売機（１３４）を含む、請求項１に記載のモジュール式インフラ設備（１００）。
【請求項３】
前記１台以上のインフラユニット（１０４）は、１台以上のインフラユニット（１０４）を１台以上のユーザーユニット（１１６）と接続するための１台以上の接続装置（１２８、１３０）を含むことを特徴とする、請求項１又は２に記載のモジュール式インフラ設備（１００）。
【請求項４】
前記１台以上のインフラユニット（１０４）を用いて電気エネルギー、データ、情報、食品、日用品及び／又は消耗品が１台以上のユーザーユニット（１１６）及び／又は１人以上の人（１１２）のために提供可能であり、特に１台以上のユーザーユニット（１１６）及び／又は１人以上の人（１１２）に供給可能であることを特徴とする、請求項１から３のいずれか１項に記載のモジュール式インフラ設備（１００）。
【請求項５】
前記１台以上のユーザーユニット（１１６）は、移動ユニット、例えば電動車両（１１８）、スマートフォン（１２０）等であることを特徴とする、請求項１から４のいずれか１項に記載のモジュール式インフラ設備（１００）。
【請求項６】
前記モジュール式インフラ設備（１００）は、電気エネルギーを発生及び／又は提供するための１台以上の自家給電ユニット（１３６）を含むことを特徴とする、請求項１から５のいずれか１項に記載のモジュール式インフラ設備（１００）。
【請求項７】
少なくとも１台のベースユニット（１０２）はそれ自体がモジュール式に形成されていることを特徴とする、請求項１から６のいずれか１項に記載のモジュール式インフラ設備（１００）。
【請求項８】
前記モジュール式インフラ設備（１００）は、センターユニット（１４２）を含んでおり、
前期センターユニット（１４２）は、１台以上のインフラユニット（１０４）、１台以上のユーザーユニット（１１６）及び／又は１台以上の自家給電ユニット（１３６）と連結されているか又は連結可能であり、前記センターユニット（１４２）は、１台以上のインフラユニット（１０４）及び／又は１台以上の自家給電ユニット（１３６）の運転、操作及び／又は利用がセンターユニット（１４２）によって検出、制御及び調節され、及び／又は上位のモニタリングシステム（１６６）に伝達されるように構成及び整備されていることを特徴とする、請求項１から７のいずれか１項に記載のモジュール式インフラ設備（１００）。
【請求項９】
請求項１から８のいずれか１項に記載のモジュール式インフラ設備（１００）を１台以上含むインフラシシテム（１６４）。
【請求項１０】
請求項１から８のいずれか１項に記載の１台以上のモジュール式インフラ設備（１００）を運転するための、特に請求項８に記載のインフラシステム（１６４）を運転するための方法であって、
人（１１２）又は物品（１１８、１２０）に電気エネルギー、データ、情報、食品、日用品及び／又は消耗品を供給するための１台以上のインフラユニット（１０４）を提供し、
センターユニット（１４２）によって、特に人（１１２）又はユーザーユニット（１１６）による利用を通して得られたデータを用いて、１台以上のインフラユニット（１０４）の運転、操作及び／又は利用を検出、制御及び／又は調節すること、を含む方法。
【発明の詳細な説明】
【技術分野】
【０００１】
本発明は、インフラ設備に関する。そのようなインフラ設備は、特に人又は物品に消耗品を供給するために用いられる。例えば自動車に燃料及び／又は電流を供給するためのガソリンスタンドは、インフラ設備と見なされる。
【発明の概要】
【発明が解決しようとする課題】
【０００２】
本発明の課題は、可変に構成されフレキシブルに使用可能で拡張可能なインフラ設備を提供することである。
【課題を解決するための手段】
【０００３】
この課題は本発明により、モジュール式に形成されており、少なくとも１台のベースユニットと１台以上のインフラユニットを含むインフラ設備によって解決される。
【０００４】
１台以上のインフラユニットは、好ましくは人又は物に電気エネルギー、データ、情報、食品、日用品及び／又は消耗品を供給するために用いられる。さらに、１台以上のインフラユニットは物品の保管に用いられるようにされてもよい。
【０００５】
１台以上のインフラユニット、特に全モジュール式インフラ設備は、好ましくは定置式に形成されて配置されている。
【０００６】
インフラ設備は、好ましくは人又は物品にとって電気エネルギー、データ、情報、食品、日用品及び／又は消耗品の供給が行われる出発地点若しくは滞在地点である。
【０００７】
ベースユニットは、特に１台以上のインフラユニットを収容及び／又は配置するための骨組又はフレームを含む。
【０００８】
さらにベースユニットは、好ましくはインフラ設備の１台以上のエネルギー供給ユニット、特に自家給電ユニットの収容及び／又は配置に用いられる。
【０００９】
ベースユニットは、好ましくはインフラ設備の１台以上のインフラユニットのための屋根又は少なくとも部分的若しくは全面的な格納を形成する。
【００１０】
特に、ベースユニットによって人及び／又は物品、例えば自動車のための滞在領域、特に屋根で覆われた滞在領域が形成されているようにされてよい。
【００１１】
１台以上のインフラユニットは、好ましくは通信ユニット、情報ユニット、保管ユニット、表示ユニット及び／又は提供装置を含む。
【００１２】
提供装置は、例えば食品、特に食べ物及び／又は飲み物、或いは消耗品、特に車両用潤滑剤、洗浄剤、凍結防止剤等を販売するための自動販売機である。
【００１３】
通信ユニットは、例えば人がインフラ設備と、特に１台以上のインフラユニットと交信できる相互作用ユニットである。
【００１４】
代替的又は補完的に、通信ユニットは、人が別の人と通信できる装置であるようにされてよい。
【００１５】
情報ユニットは、好ましくは人に情報を提供可能、特に表示可能な装置である。情報ユニットは、例えば広告欄又は広告板又は情報ディスプレイであることができる。
【００１６】
保管ユニットは、特に人が物品を入れて安全に保管できるロッカーである。
【００１７】
表示ユニットは、特にディスプレイ装置である。
【００１８】
表示ユニットによって好ましくはインフラ設備の１台以上のインフラユニットの利用又は操作に関するデータが表示可能である。
【００１９】
表示ユニットによって人は特に１台以上のインフラユニット又は全インフラ設備の状態について知ることができる。
【００２０】
本発明の構成において、１台以上のインフラユニットは、１台以上のインフラユニットを１台以上のユーザーユニットと接続するための１台以上の接続装置を含むようにされてよい。
【００２１】
例えば、ユーザーユニットにデータ及び／又は電気エネルギー等を供給するための１台以上のインフラユニットは無線又は有線の接続装置を含むようにされてよい。特にこうすることにより自動車として形成されたユーザーユニットに電気エネルギー及び／又は液体燃料を供給できる。
【００２２】
接続装置は、特にインフラユニットとユーザーユニットの間の電気接続を可能にする。
【００２３】
代替的又は補完的に、１台以上の接続装置は１台以上のインフラユニットと１台以上のユーザーユニット間のデータ技術的及び／又は流体作用的な接続を可能にするようにされてよい。
【００２４】
１台以上のインフラユニットによって、好ましくは１台以上のユーザーユニット及び／又は１人以上の人に電気エネルギー、データ、情報、食品、日用品及び／又は消耗品が提供可能である。
【００２５】
特に１台以上のインフラユニットによって、好ましくは１台以上のユーザーユニット及び／又は１人以上の人に電気エネルギー、データ、情報、食品、日用品及び／又は消耗品が供給可能であるようにされてよい。
【００２６】
このために例えば、１台以上のユーザーユニットは、例えば電気エネルギーを伝達し、又はインターネットアクセス若しくはその他の通信アクセスを可能にし、又はその他の情報及びデータを伝達するために、１台以上の接続装置によって１台以上のインフラユニットに接続可能であるようにすることができる。
【００２７】
１台以上のユーザーユニットは、例えば車両として形成されてよい。
【００２８】
さらに、１台以上のユーザーユニットは、スマートフォン又はその他の携帯電子機器であってよい。
【００２９】
１台以上のユーザーユニットは、好ましくは移動ユニットである。
【００３０】
モジュール式インフラ設備によって、好ましくは１台以上のユーザーユニットを運転するためのインフラが提供される。
【００３１】
モジュール式インフラ設備が電気エネルギーを発生及び／又は提供するための１台以上の自家給電ユニットを含むと好都合であろう。
【００３２】
自家給電ユニットは、特に光起電ユニット、風力ユニット及び／又はエネルギー貯蔵装置である。
【００３３】
自家給電ユニットによって、特にモジュール式インフラ設備を運転するための及び／又は物品、特にユーザーユニットに供給するためのエネルギーが発生及び／又は提供可能である。
【００３４】
少なくとも１台のベースユニットは、種々異なるインフラユニットを収容及び／又は固定するための複数の準備された収容箇所及び／又は固定箇所を含むようにされてよい。そうすることで種々異なるインフラユニットは簡単にベースユニットに配置されて運転を開始できる。特にインフラユニットは既に完成したモジュール式インフラ設備に追加装備することもできる。
【００３５】
モジュール式インフラ設備の少なくとも１台のベースユニットそれ自体がモジュール式に形成されているようにすることができる。
【００３６】
この場合、ベースユニットは特にスケーリング可能及び／又は拡張可能である。
【００３７】
例えばベースユニットは支持部材及び１個以上の屋根部材を含むようにされてよく、これらは例えば既存の支持部材が別の屋根部材の収容箇所を有するように形成されているため、ベースユニットは簡単で任意に拡張可能である。
【００３８】
本発明の構成において、モジュール式インフラ設備はセンターユニットを含んでおり、このセンターユニットは１台以上のインフラユニット、１台以上のユーザーユニット及び／又は１台以上の自家給電ユニットと連結されているか又は連結可能であるようにされている。
【００３９】
センターユニットは、好ましくは１台以上のインフラユニット及び／又は１台以上の自家給電ユニットの運転、操作及び／又は利用がセンターユニットによって検出、制御及び調節され、及び／又は上位のモニタリングシステムに伝達されるように構成及び整備されている。
【００４０】
好ましくはインフラ設備の全部のインフラユニットは、センターユニットを用いて人又はユーザーユニットによって利用されたインフラサービスが検出可能であるように形成及び整備されている。さらに好ましくは利用されたインフラサービスを清算できるように、ユーザーデータ及び／又は清算データが検出可能である。
【００４１】
例えばＲＦＩＤを活用した支払システム、硬貨投入、紙幣挿入、磁気カード、クレジットカード、スマートフォン接続（アプリ）による清算を設けることができる。
【００４２】
モジュール式インフラ設備は、特にインフラシステムにおいて使用するのに適している。
【００４３】
それゆえ本発明は、１台以上の本発明によるモジュール式インフラ設備を含むインフラシステムにも関する。
【００４４】
インフラシステムは、特に複数のインフラ設備を制御可能及び／又は調節可能及び／又は監視可能である上位のモニタリングシステムを含む。
【００４５】
本発明によるインフラシステムは、好ましくは本発明によるモジュール式インフラ設備との関連で記された１つ以上の特徴及び／又は利点を有する。
【００４６】
本発明は、さらに１台以上のインフラ設備を運転するための方法に関する。これに関して本発明の課題は、１台以上のインフラ設備を簡単で効率的に運転できる方法を提供することである。
【００４７】
この課題は本発明により、１台以上のインフラ設備、特に本発明によるモジュール式インフラ設備を運転するための方法であって、人又は物品に電気エネルギー、データ、情報、食品、日用品及び／又は消耗品を供給するための１台以上のインフラユニットを提供し、センターユニットによって、特に人又はユーザーユニットによる利用を通して得られたデータを用いて、１台以上のインフラユニットの運転、操作及び／又は利用を検出、制御及び／又は調節することを含む方法によって解決される。
【００４８】
本発明による方法は、好ましくは本発明によるモジュール式インフラ設備及び／又は本発明によるインフラシステムとの関連で記された１つ以上の特徴及び／又は利点を有する。
【００４９】
１台以上のインフラ設備を運転するための方法が、インフラシステム、特に本発明によるインフラシステムを運転するための方法でもあると好都合であろう。この方法では好ましくは複数のインフラ設備が上位の制御装置、特に上位のモニタリングシステムによって制御及び／又は調節され、及び／又は互いに調整され、及び／又は特に全インフラシステムのエネルギー効率の点で評価される。
【００５０】
１台以上のインフラユニットは、好ましくは以下に記された１つ以上のコンポーネントを有する。充電ポスト、ロッカー、スクリーン、食品自動販売機、車両用補助剤自動販売機、現金自動支払機、券売機、コンプレッサー、空気圧点検装置、電気掃除機、照明、状態表示、特にＬＥＤ状態照明、無線ＬＡＮ、ホットスポット（Ｗ−ＬＡＮ又はＷｉｆｉホットスポット）、監視カメラである。
【００５１】
１台以上のインフラユニットは、好ましくは個人データ及び／又はユーザーユニットデータを検出及び／又は検査するための認証装置を含む。
【００５２】
モジュール式インフラ設備は、好ましくは多数の用途及び設置場所のために多数のコンポーネントを空間的に統合したものである。
【００５３】
電気系統接続、エネルギー発生設備及び／又はデータインターフェースは、好ましくは複数の人及び／又は複数のユーザーユニットが共同で利用可能である。
【００５４】
本発明によるインフラ設備は、特にモジュール式に拡張可能である。
【００５５】
インフラ設備は、好ましくは耐候性のある設置に、及び同時に屋外で機能コンポーネントにエネルギーを供給するために、並びに広帯域通信接続を提供するために用いられる。
【００５６】
１台以上のインフラユニットは、好ましくはさらにエネルギー-貯蔵システム、情報技術的ネットワークコンポーネント、画像表示装置、測定・制御及び／又は調節技術の装置等を含むことができる。
【００５７】
好ましくは１台以上のインフラユニットが、自動化された運転動作を有しており、人（ユーザー又は利用者）と相互作用に入ることができるように形成及び整備されている。
【００５８】
好ましくは本発明によるインフラ設備の自家給電ユニットは、インフラ設備のエネルギー自給自足運転方式が可能であるように寸法設計されている。この場合、インフラ設備は特に「オフグリッド」運転できる。その際に好ましくは電気系統接続が不要である。
【００５９】
モジュール式インフラ設備は、特に電動車両の充電ステーションとして適しており、電動車両を利用する人は、例えば充電作業中にインフラ設備の別のインフラユニット、例えば日常生活の必要を満たす機能ユニットを利用できる。これには特にロッカー、自動販売機、携帯電気用の充電装置又は情報スクリーンが含まれる。
【００６０】
さらにベースユニット及び／又は１台以上のインフラユニットは、好ましくは人が座るベンチや、物品、例えば自転車を結び付けて確実に拘束するための１個以上の錠前又は施錠ポイントを含む。
【００６１】
さらにベースユニット及び１台以上のインフラユニットは、ゴミ箱、灰皿、水道、電気掃除機及び／又は空気圧点検装置を含むようにされてよい。
【００６２】
物品を保管するためのインフラユニットは、例えばロッカーとして形成されてよい。そのようなロッカーは、好ましくはそれぞれ１個のヘルメット及びバッグ又はリュックザックを収納できる大きさにされている。さらにロッカーは、例えば充電目的のためのコンセントを備え、又は冷却機能を持つことができる。
【００６３】
各インフラユニットが表示ユニットを含んでおり、人、特に潜在的ユーザーがインフラユニットの状態、特に運転可能状態又は利用可能状態を一目で認識できると好都合であろう。そのような表示ユニットは、特に色コード付きＬＣＤ又はＬＥＤ表示であってよく、例えば緑の光は機能可能状態や利用可能状態を表し、例えば橙又は赤の光は異常又は既に利用が行われていることを表す。
【００６４】
代替的又は補完的に、全体としてのインフラ設備のために複数の、特に全部のインフラユニットに対する中央表示ユニットが設けられてよい。
【００６５】
さらにベースユニットは、例えばショッピングカート、自転車及び／又は自動車のための屋根及び／又は格納庫を形成できる。
【００６６】
本発明のその他の好適な特徴及び／又は利点は、以下の説明と実施形態の図面から明らである。
【図面の簡単な説明】
【００６７】
【図１】モジュール式インフラ設備の第１の実施形態の模式的な斜視図である。
【図２】図１に示すモジュール式インフラ設備の模式的な正面図であり、インフラ設備の追加のインフラユニット並びにインフラ設備のベースユニットの拡張が破線で示されている。
【図３】インフラ設備の電気構造の模式図である。
【図４】インフラ設備のインフラユニットの電気構造の模式図である。
【図５】複数のインフラ設備を含むインフラシステムのモニタリングシステムの 模式図である。
【図６】多数のインフラユニットを備えるインフラ設備の模式的な斜視図である。
【発明を実施するための形態】
【００６８】
同じ部材又は機能的に同等の部材は、すべての図で同一の参照符号を付されている。
【００６９】
図１〜図４に示された全体を１００で表すインフラ設備の実施形態は、ベースユニット１０２と１台以上のインフラユニット１０４を含む。
【００７０】
ベースユニット１０２は、１個以上の屋根部材１０８を支持する２個以上の支持部材１０６を含む。
【００７１】
そのためベースユニット１０２特に、人１１２が例えば雨をしのぐために滞在できる屋根で覆われた領域を形成する屋根ユニット１１０を含んでいる。
【００７２】
慣用的なインフラ設備１００は、通常不都合な降雨から保護する以上の機能を提供しない。せいぜい人１１２が座ることができるベンチ１１４が設けられることがある。
【００７３】
これに対して図１〜図４に示されたインフラ設備１００の実施形態では、インフラ設備１００は、人１１２及び／又はユーザーユニット１１６、例えば車両１１８及び／又はスマートフォン１２０に、電気エネルギー、データ、情報、食品、日用品及び／又は消耗品を供給するようにされている。
【００７４】
このためにベースユニット１０２は、好ましくは複数の、いろいろな種類と機能のインフラユニット１０４を収容するのに用いられる。
【００７５】
特に図２から見て取れるように、例えば以下のものを含み又は以下のものとして形成されたインフラユニット１０４を設けてベースユニット１０２に配置することができる。情報ユニット１２２、表示ユニット１２４、通信ユニット１２６、送受信ユニット１２８、電源１３０、提供装置１３２等である。
【００７６】
情報ユニット１２２によって人１１２に情報を提供、特に表示できる。これらの情報は、例えば広告、ニュース、バス又は鉄道の時刻表等であってよい。
【００７７】
表示ユニット１２４は特に、１個以上のインフラユニット１０４の運転状態及び／又は利用状態の表示に用いられる。
【００７８】
通信ユニット１２６によって人１１２は好ましくは１個以上のインフラユニット１０４と相互作用できる。
【００７９】
送受信ユニット１２８は、例えば通信ユニット１２６としても形成されて、例えば無線インターネットアクセスを提供するために用いられる。
【００８０】
電源１３０は、特に電気エネルギーを提供するために、特に携帯電気機器及び／又は電動車両、例えば電気で駆動される乗用車又は自転車の充電に用いられる。
【００８１】
提供装置１３２は、例えば自動販売機１３４として形成されている。提供装置１３２において人１１２は、例えば食品、特に食べ物若しくは飲み物、又はその他の物品、例えば乗用車用消耗品を購入できる。
【００８２】
インフラ設備１００は、好ましくは１台以上の自家給電ユニット１３６、例えば１台以上の太陽電池ユニット１３８を含む。
【００８３】
自家給電ユニット１３６により、特に太陽エネルギー及び／又は風力エネルギーを利用することによって電気エネルギーを発生できる。この電気エネルギーは、特にインフラ設備１００の運転に用いられるが、特に電動車両又は携帯電気機器を充電するためにユーザーユニット１１６にも提供され得る。
【００８４】
インフラ設備１００の貯蔵装置１４０によって、好ましくは電気エネルギーを貯蔵できる。特に貯蔵装置１４０によって、自家給電ユニット１３６により生み出される電気エネルギーを貯蔵して後の時点で提供できる。
【００８５】
さらに図２から見て取れるように、インフラ設備１００のベースユニット１０２自体がモジュール式に構成されている。
【００８６】
例えば人１１２の滞在領域、特に屋根ユニット１１０を拡張するために、別の支持部材１０６を１個追加するだけで、少なくとも１個の別の屋根部材１０８を配置できる。
【００８７】
インフラ設備１００は、好ましくはセンターユニット１４２を含んでおり、それによって複数のインフラユニット１０４、特に全部のインフラユニット１０４が制御可能、調節可能及び／又は相互に調整可能である。
【００８８】
特に図３及び図４から見て取れるように、インフラ設備１００は全体としてインターネット接続１４４によってインターネットと接続されている。
【００８９】
電気系統接続１４６によってインフラ設備１００は全体として電気系統、特に公共電気系統又は別個の電力供給者の電気系統と接続されている。
【００９０】
インターネット接続１４４と電気系統接続１４６を介してインフラ設備１００の全部のインフラユニット１０４は必要に応じてインターネットと接続可能であり又は絶えずインターネットと接続されており、並びに必要に応じて電気エネルギーが供給可能であり、又は常時電気系統に接続されている。
【００９１】
このために各インフラユニット１０４は、それぞれインフラ設備１００のデータ網１５０に接続するためのデータ接続線１４８と、インフラ設備１００のエネルギー網１５４に接続するための電気接続線１５２含む。
【００９２】
データ網１５０を介して全部のインフラユニット１０４がセンターユニット１４２、１個以上の通信ユニット１２６、１個以上の情報ユニット１２２、１個以上の送受信ユニット１２８及び／又はインターネット接続１４４と接続されている。
【００９３】
エネルギー網１５４を介して全部のインフラユニット１０４が好ましくは１個以上の自家給電ユニット１３６、１個以上の貯蔵装置１４０及び／又は電気系統接続１４６と接続されている。
【００９４】
センターユニット１４２はエネルギー網１５４にも接続されている。
【００９５】
特に図４から見て取れるように、インフラユニット１０４は好ましくはさらに内部検査ユニット１５６を含んでおり、それによって好ましくはインフラユニット１０４の本来の機能が実施可能及び検査可能である。さらにインフラユニット１０４の本来の機能を実施するために、各インフラユニット１０４に対して１個以上の機能コンポーネント１５８が設けられている。１個以上の信号出力１６０を介して好ましくはデータ接続線１４８と代替的に、インフラ設備１００の別のコンポーネントと及び／又は人１１２若しくはユーザーユニット１１６と相互作用を行うことができる。
【００９６】
最後に、インフラユニット１０４の個人データ及び／又は機能データを検出するためにインフラユニット１０４の１個以上のセンサー１６２が用いられるため、機能コンポーネント１５８の特に信頼性の高い機能が保証され得る。
【００９７】
図３に従い、例えば３個のインフラユニット１０４がセンターユニット１４２によって中央制御可能であり、特に調節可能及び／又は調整可能である。
【００９８】
その際に上位の通信ユニット１２６及び／又は情報ユニット１２２は、好ましくは人１１２との相互作用に用いられる。
【００９９】
上述したインフラ設備１００は次のように使用される。
【０１００】
例えば通信ユニット１２６で人１１２はインフラ設備１００の１台以上のインフラユニット１０４を操作する。
【０１０１】
このために人１１２は、インフラ設備１００のインフラサービスを使用できるように、例えば通信ユニット１２６の入力フィールドを通して個人データ及び／又は清算データを入力する。
【０１０２】
例えば人１１２はインフラサービスを買うことができる。
【０１０３】
そのようなインフラサービスは、例えば人１１２の車両１１８に充電するために電気エネルギーを提供する。
【０１０４】
このために人１１２は、車両１１８を電源１３０として形成されたインフラユニット１０４に接続するために、例えば（図示されない）電気ケーブルを使用する。次に通信ユニット１２６を通して車両１１８の充電作業を開始できる。
【０１０５】
車両１１８に充電するために使用される電気エネルギーは、例えばインフラ設備１００の１台以上の自家給電ユニット１３６及び／又は電気系統接続１４６を通して提供され、場合によっては貯蔵装置１４０により一時的に貯蔵される。
【０１０６】
充電作業中に人１１２はインフラ設備１００の別のインフラユニット１０４を利用できる。例えば人１１２は自動販売機１３４で飲み物を購入し、又は自分のスマートフォン１２０でインフラ設備１００の送受信ユニット１２８を介してインターネットと接続できる。
【０１０７】
図１〜図４に示されたインフラ設備１００は、例えばインフラシステム１６４の構成部分であることができる。
【０１０８】
特に図５から見て取れるように、そのようなインフラシステム１６４は好ましくは複数のインフラ設備１００を含んでおり、インフラ設備１００はまたそれぞれ１個の複数のインフラユニット１０４を含む。
【０１０９】
最後に中央システム、即ちモニタリングシステム１６６によって全部のインフラ設備１００を監視できるように、インフラシステム１６４のモニタリングシステム１６６により、好ましくは各インフラ設備１００のセンターユニット１４２を制御及び／又は調節できる。
【０１１０】
この監視は、一方ではインフラ設備１００が誤りなく機能しているか検査するために用いられる。他方ではモニタリングシステム１６６を介して、例えば中央ユーザー管理も実現できるので、人１１２は簡単に、利用者データを全部のインフラ設備１００に入力するという煩雑な手間をかけることなくインフラサービスに快適にアクセスできる。
【０１１１】
最後に図６は、インフラ設備１００のさらに具体的な実施形態を示しており、できるだけ大量の電気エネルギーを提供できるように、屋根部材１０８は全面的に太陽電池ユニット１３８が装備されている。
【０１１２】
この電気エネルギーは、例えば２本の充電ポスト（電源１３０）として形成されたインフラユニット１０４を通して提供可能であり、特に車両１１８に供給可能である。
【０１１３】
さらに図６に示されたインフラ設備１００は、通信ユニット１２６、表示ユニット１２４、及び特に情報ユニット１２２として用いられる中央ディスプレイ１６８を含む。
【０１１４】
自動販売機１３４及びロッカー１７０として形成された複数のインフラユニット１０４は、インフラ設備１００の利用者（人１１２）に別のインフラサービスを提供する。
【符号の説明】
【０１１５】
１００    インフラ設備
１０２    ベースユニット
１０４    インフラユニット
１０６    支持部材
１０８    屋根部材
１１０    屋根ユニット
１１２    人
１１４    ベンチ
１１６    ユーザーユニット
１１８    車両
１２０    スマートフォン
１２２    情報ユニット
１２４    表示ユニット
１２６    通信ユニット
１２８    送受信ユニット
１３０    電源
１３２    提供装置
１３４    自動販売機
１３６    自家給電ユニット
１３８    太陽電池ユニット
１４０    貯蔵装置
１４２    センターユニット
１４４    インターネット接続
１４６    電気系統接続
１４８    データ接続線
１５０    データ網
１５２    電気接続線
１５４    エネルギー網
１５６    検査ユニット
１５８    機能コンポーネント
１６０    信号出力
１６２    センサー
１６４    インフラシステム
１６６    モニタリングシステム
１６８    ディスプレイ
１７０    ロッカー
【図１】
2017526076.tif 000003
【図２】
2017526076.tif 000004
【図３】
2017526076.tif 000005
【図４】
2017526076.tif 000006
【図５】
2017526076.tif 000007
【図６】
2017526076.tif 000008
【国際調査報告】
2017526076.tif 000009
2017526076.tif 000010
2017526076.tif 000011
2017526076.tif 000012
2017526076.tif 000013
2017526076.tif 000014